(57)【要約】      （修正有）【課題】チャンバ部材の後方に、バンパレインフォースメントが存在しない部位に衝突が発生した場合でも、正確に衝突検知可能な車両用衝突検知装置を提供する。【解決手段】車両バンパ内でバンパレインフォースメント４の前面に配設され、且つ前壁部７０９と後壁部７１０とによって挟まれたチャンバ空間７ａを、内部に形成してなる軟質樹脂製のチャンバ本体７１を有するチャンバ部材７は、後壁部７１０における少なくともバンパレインフォースメント４の前面と対向しない非対向部分に、肉厚の補強部７１１が設けられている。よって、車両バンパ２へ衝突が発生した際、チャンバ部材７の後壁部７１０における非対向部分では、補強部７１１によって確実に変形が防止されるので、圧力検出性能の低下が抑制される。【選択図】図４
2010163155.tif 000002
【特許請求の範囲】
【請求項１】
車両バンパ内でバンパレインフォースメントの前面に配設され且つ前壁部と後壁部とによって挟まれたチャンバ空間を内部に形成してなる軟質樹脂製のチャンバ本体を有するチャンバ部材と、圧力検出用のセンサ素子を内部に収容してなる圧力センサとを備え、前記チャンバ空間内の圧力を前記圧力センサの前記センサ素子により圧力検出を行い、その圧力検出結果に基づいて前記車両バンパへの衝突を検知するように構成された車両用衝突検知装置において、
前記チャンバ部材は、前記後壁部における少なくとも前記バンパレインフォースメントの前面と対向しない非対向部分に肉厚の補強部が設けられたことを特徴とする車両用衝突検知装置。
【請求項２】
前記チャンバ部材の前記補強部は、前記チャンバ本体よりも硬質性の材質からなるインサート部材をインサート成形することによって形成されたことを特徴とする請求項１に記載の車両用衝突検知装置。
【請求項３】
前記チャンバ部材の前記補強部は、前記チャンバ本体と同一の軟質性樹脂によって一体的に形成されたことを特徴とする請求項１に記載の車両用衝突検知装置。
【請求項４】
前記チャンバ部材は、ブロー成形によって形成されるものであり、前記ブロー成形におけるパーティングラインが前記前壁部よりも前記後壁部寄りに設定されることによって前記補強部が形成されたことを特徴とする請求項３に記載の車両用衝突検知装置。
【請求項５】
前記チャンバ部材は、前記バンパレインフォースメント前面の突起部を避けるために下面側に設けられた下側凹部と、前記下側凹部上方の上面側に設けられ且つ少なくとも一部が前記バンパレインフォースメントの前面と対向しない前記非対向部分である上側凸部とを有し、前記上側凸部に前記補強部が設けられたことを特徴とする請求項１乃至４のいずれか１つに記載の車両用衝突検知装置。
【請求項６】
前記チャンバ部材は、車幅方向両端部に少なくとも一部が前記バンパレインフォースメントの前面と対向しない前記非対向部分が設けられ、前記車幅方向両端部に前記補強部が設けられたことを特徴とする請求項１乃至５のいずれか１つに記載の車両用衝突検知装置。
【請求項７】
前記チャンバ部材は、前記後壁部の車幅方向全体に亘って前記補強部が形成されたことを特徴とする請求項１乃至４のいずれか１つに記載の車両用衝突検知装置。
【請求項８】
前記バンパレインフォースメントの車両左右方向の長さは前記チャンバ部材の車両左右方向の長さよりも短く、当該チャンバ部材は当該バンパレインフォースメントの両端から各々所定距離突き出た形状であることを特徴とする請求項１乃至７のいずれか１つに記載の車両用衝突検知装置。
【請求項９】
前記チャンバ部材における前記バンパレインフォースメントの両端から各々所定距離突き出た部分は、当該バンパレインフォースメントの両端面に沿って延長された形状であることを特徴とする請求項８に記載の車両用衝突検知装置。
【発明の詳細な説明】
【技術分野】
【０００１】
本発明は、車両への歩行者等の衝突を検知する車両用衝突検知装置に関する。
【背景技術】
【０００２】
従来、車両の安全性に関して、事故時に車両の搭乗者の安全性を確保するだけでなく、車両に歩行者が衝突したときに歩行者へのダメージを軽減することも求められている。そこで、歩行者の車両への衝突を検知して、例えばアクティブフードやカウルエアバッグ等の歩行者保護装置を作動させて、車両に衝突してボンネットに倒れ込んできた歩行者が受ける傷害値（歩行者が受ける衝撃）を低減するシステムが提案されている。
【０００３】
例えば特開２００６−１１７１５７号公報（特許文献１）には、衝突を検知するために車両バンパ内でバンパレインフォースメントの前面にチャンバ部材が配設され、チャンバ空間内の圧力変化を圧力センサで検出することにより車両バンパへの歩行者などの衝突を検知するように構成された車両用衝突検知装置が提案されている。
【先行技術文献】
【特許文献】
【０００４】
【特許文献１】特開２００６−１１７１５７号公報
【発明の概要】
【発明が解決しようとする課題】
【０００５】
ここで、上述したチャンバ部材と圧力センサとを用いた車両用衝突検知装置において、アブソーバの上面且つバンパレインフォースメント前面にチャンバ部材を配置する構成が考えられる。例えば、チャンバ部材は、車幅の中央において、図１０（ａ）に示すように、バンパレインフォースメント４の前面で且つチャンバ部材７の上面とバンパレインフォースメント４の上面が、ほぼ同じ高さで配設されている。つまり、チャンバ部材7は、バンパレインフォースメント４に対向して配設されている。衝突が発生した際は、同図（ｂ）に示すように、チャンバ部材７は、押圧され変形し、バンパレインフォースメント４に支えられるようになっている。そして、チャンバ部材７の圧力は、圧力センサに正確に検出される。
【０００６】
しかし、固縛フック取り付け部５ａ付近のチャンバ部材７は、図１１（ａ）に示すように、バンパレインフォースメント４に配設された固縛フック取り付け部５ａ等の突起部材を避けるために、チャンバ部材７の一部形状がバンパレインフォースメント４上面の位置よりも高く配設されている。この場合、突起部材付近のチャンバ部材７の後壁部上方の一部には、バンパレインフォースメント４が配設されていない部分、つまり、バンパレインフォースメント４の前面と対向しない非対向部分が存在する。そのため、突起部材付近に衝突が発生した際に、同図（ｂ）に示すように、チャンバ部材７の後壁部の非対向部分は、バンパレインフォースメント４前面に当接せず、チャンバ部材７の他の部分とは異なる変形が生じることがあった。そのため、車幅方向における衝突位置によってはチャンバ部材７内部の圧力が分散することにより、衝突検知性能を確保できない虞がある。
【０００７】
本発明は、上述した問題点に鑑みてなされたものであり、チャンバ部材の後方にバンパレインフォースメントが存在しない部位に衝突が発生した場合でも正確に衝突検知可能な車両用衝突検知装置を提供することを目的とする。
【課題を解決するための手段】
【０００８】
上記目的を達成するためになされた請求項１に記載の発明は、車両バンパ内でバンパレインフォースメントの前面に配設され且つ前壁部と後壁部とによって挟まれたチャンバ空間を内部に形成してなる軟質樹脂製のチャンバ本体を有するチャンバ部材と、圧力検出用のセンサ素子を内部に収容してなる圧力センサとを備え、前記チャンバ空間内の圧力を前記圧力センサの前記センサ素子により圧力検出を行い、その圧力検出結果に基づいて前記車両バンパへの衝突を検知するように構成された車両用衝突検知装置において、前記チャンバ部材は、前記後壁部における少なくとも前記バンパレインフォースメントの前面と対向しない非対向部分に肉厚の補強部が設けられたことを特徴とする。
【０００９】
この構成によれば、車両バンパ内でバンパレインフォースメントの前面に配設され且つ前壁部と後壁部とによって挟まれたチャンバ空間を内部に形成してなる軟質樹脂製のチャンバ本体を有するチャンバ部材は、後壁部における少なくともバンパレインフォースメントの前面と対向しない非対向部分に肉厚の補強部が設けられている。よって、車両バンパへ衝突が発生した際、チャンバ部材の後壁部における非対向部分では補強部によって確実に変形が防止されるので、圧力検出性能の低下が抑制される。従って、チャンバ部材の後方にバンパレインフォースメントが存在しない部位に衝突が発生した場合でも正確に衝突検知を行うことができる。
【００１０】
請求項２に記載の発明は、請求項１に記載の車両用衝突検知装置において、前記チャンバ部材の前記補強部は、前記チャンバ本体よりも硬質性の材質からなるインサート部材をインサート成形することによって形成されたことを特徴とする。
【００１１】
この構成によれば、チャンバ部材の補強部は、チャンバ本体よりも硬質性の材質からなるインサート部材をインサート成形することにより形成されているので、チャンバ部材の剛性が増大され、後壁部の非対向部分における衝突による変形を確実に防止することができる。
【００１２】
請求項３に記載の発明は、請求項１に記載の車両用衝突検知装置において、前記チャンバ部材の前記補強部は、前記チャンバ本体と同一の軟質性樹脂によって一体的に形成されたことを特徴とする。
【００１３】
この構成によれば、チャンバ部材の補強部は、チャンバ本体と同一の軟質性樹脂によって一体的に形成されているので、他の部材を用いることが無く、少ない部品点数で容易且つ安価に製造することができる。
【００１４】
請求項４に記載の発明は、請求項３に記載の車両用衝突検知装置において、前記チャンバ部材は、ブロー成形によって形成されるものであり、前記ブロー成形におけるパーティングラインが前記前壁部よりも前記後壁部寄りに設定されることによって前記補強部が形成されたことを特徴とする。
【００１５】
この構成によれば、チャンバ部材は、ブロー成形によって形成されるものであり、ブロー成形におけるパーティングラインが前壁部よりも後壁部寄りに設定されることによって、チャンバ部材の後壁部が確実に肉厚の補強部として形成される。
【００１６】
請求項５に記載の発明は、請求項１乃至４のいずれか１つに記載の車両用衝突検知装置において、前記チャンバ部材は、前記バンパレインフォースメント前面の突起部を避けるために下面側に設けられた下側凹部と、前記下側凹部上方の上面側に設けられ且つ少なくとも一部が前記バンパレインフォースメントの前面と対向しない前記非対向部分である上側凸部とを有し、前記上側凸部に前記補強部が設けられたことを特徴とする。
【００１７】
この構成によれば、チャンバ部材は、バンパレインフォースメント前面の突起部を避けるために下面側に設けられた下側凹部と、下側凹部上方の上面側に設けられ且つ少なくとも一部がバンパレインフォースメントの前面と対向しない非対向部分である上側凸部とを有し、上側凸部に補強部が設けられているので、バンパレインフォースメント前面の突起部付近においてもチャンバ部材の体積を確保することが可能になり、チャンバ部材が受ける圧力を均等に検出することができる。また、非対向部分である上側凸部に補強部が設けられているので、当該部分における衝突による変形が防止される。
【００１８】
請求項６に記載の発明は、請求項１乃至５のいずれか１つに記載の車両用衝突検知装置において、前記チャンバ部材は、車幅方向両端部に少なくとも一部が前記バンパレインフォースメントの前面と対向しない前記非対向部分が設けられ、前記車幅方向両端部に前記補強部が設けられたことを特徴とする。
【００１９】
この構成によれば、チャンバ部材は、車幅方向両端部に少なくとも一部がバンパレインフォースメントの前面と対向しない非対向部分が設けられ、車幅方向両端部に補強部が設けられているので、車幅方向両端部の後端部における衝突による変形が防止され、チャンバ部材の車幅方向両端部における圧力検出性能の低下が抑制される。
【００２０】
請求項７に記載の発明は、請求項１乃至４のいずれか１つに記載の車両用衝突検知装置において、前記チャンバ部材は、前記後壁部の車幅方向全体に亘って前記補強部が形成されたことを特徴とする。
【００２１】
この構成によれば、チャンバ部材は、後壁部の車幅方向全体に亘って補強部が形成されているので、チャンバ部材全体が撓みにくくなり、チャンバ部材を車両に取り付ける際や持ち運び時等における取り扱いが容易となる。
【００２２】
請求項８に記載の発明は、前記バンパレインフォースメントの車両左右方向の長さは前記チャンバ部材の車両左右方向の長さよりも短く、当該チャンバ部材は当該バンパレインフォースメントの両端から各々所定距離突き出た形状であることを特徴とする。
【００２３】
この構成によれば、バンパレインフォースメントの車両左右方向の長さを短くすることができるので、その分、バンパレインフォースメントの重量を軽くすることができる。従って、車両の重量を軽くすることが出来る。また、バンパレインフォースメントの長さが短くて済むので、製作コストも低減することができると共に、他の部品の設置スペースを拡げることが出来る。
【００２４】
請求項９に記載の発明は、前記チャンバ部材における前記バンパレインフォースメントの両端から各々所定距離突き出た部分は、当該バンパレインフォースメントの両端面に沿って延長された形状であることを特徴とする。
【００２５】
この構成によれば、チャンバ本体の車両左右方向への突き出し部分への物体の衝突時に、その突き出し部分がバンパレインフォースメントの端面で支えられるので、その突き出し部分の曲がりを抑制することが出来る。
【図面の簡単な説明】
【００２６】
【図１】実施形態の車両用衝突検知装置を平面視にて示す全体構成図である。
【図２】実施形態の車両用衝突検知装置を横から見た要部断面図である。
【図３】チャンバ潰れピーク荷重と曲げ弾性率との関係を示すグラフである。
【図４】（ａ）はチャンバ部材の後壁部にインサート部材を一体的に成形した状態を横から見た車両バンパ中央付近の断面図であり、（ｂ）はチャンバ部材の後壁部にインサート部材を一体的に成形した状態を横から見た固縛フック取り付け部付近のチャンバ部材の断面図である。
【図５】実施形態の車両用衝突検知装置の固縛フック取り付け部付近のチャンバ部材の正面図である。
【図６】実施形態の車両用衝突検知装置の固縛フック取り付け部付近の衝突の際のチャンバ部材の断面図である。
【図７】（ａ）は実施形態の変形例の車両用衝突検知装置の横から見た車両バンパ中央付近の要部断面図であり、（ｂ）は変形例の車両用衝突検知装置の横から見た固縛フック取り付け部付近の要部断面図である。
【図８】（ａ）は、チャンバ部材のブロー成形による型締め状態を示す要部断面図であり、（ｂ）は、チャンバ部材の中空半成品として膨張賦形された状態を示す断面図である。
【図９】実施形態の変形例の車両用衝突検知装置の衝突の際のチャンバ部材の断面図である。
【図１０】（ａ）は従来の車両用衝突検知装置の横から見た車両バンパ中央付近のチャンバ部材の要部断面図であり、（ｂ）は衝突の際の車両用衝突検知装置の横から見たチャンバ部材の要部断面図である。
【図１１】（ａ）は従来の車両用衝突検知装置の横から見た固縛フック取り付け部付近のチャンバ部材の要部断面図であり、（ｂ）は衝突の際の車両用衝突検知装置のチャンバ部材の横から見た要部断面図である。
【図１２】本実施形態の車両用衝突検知装置の車両バンパ部分の変形例１であり、（ａ）は車両バンパ部分を平面視し、その概略右側半分を表した図、（ｂ）はその概略右側半分のチャンバ本体及びアブソーバを車両正面から見た図、（ｃ）は（ａ）に示すＤ−Ｄ線で切断した断面図である。
【図１３】従来の車両バンパ部分の平面図である。
【図１４】本実施形態の車両用衝突検知装置の車両バンパ部分の変形例２であり、（ａ）は車両バンパ部分を平面視し、その概略右側半分を表した図、（ｂ）はその概略右側半分のチャンバ本体及びアブソーバを車両正面から見た図である。
【図１５】本実施形態の車両用衝突検知装置の車両バンパ部分の変形例３であり、（ａ）は車両バンパ部分を平面視し、その概略右側半分を表した図、（ｂ）はその概略右側半分のチャンバ本体及びアブソーバを車両正面から見た図である。
【図１６】本実施形態の車両用衝突検知装置の車両バンパ部分の変形例４であり、（ａ）は車両バンパ部分を平面視し、その概略右側半分を表した図、（ｂ）はその概略右側半分のチャンバ本体及びアブソーバを車両正面から見た図である。
【図１７】本実施形態の車両用衝突検知装置の車両バンパ部分の変形例５であり、（ａ）は車両バンパ部分を平面視し、その概略右側半分を表した図、（ｂ）はその概略右側半分のチャンバ本体及びアブソーバを車両正面から見た図である。
【図１８】本実施形態の車両用衝突検知装置の車両バンパ部分の変形例６であり、（ａ）は車両バンパ部分を平面視し、その概略右側半分を表した図、（ｂ）はその概略右側半分のチャンバ本体及びアブソーバを車両正面から見た図である。
【発明を実施するための形態】
【００２７】
以下、本発明の車両用衝突検知装置を具体化した一実施形態について図面を参照しつつ説明する。図１は、本発明の実施形態である車両用衝突検知装置１を平面視にて示す全体構成図である。図２は、車両用衝突検知装置１を横から見た要部断面図（図１のＡ−Ａ線断面）である。図３は、チャンバ潰れピーク荷重と曲げ弾性率との関係を示すグラフである。図４（ａ）は、チャンバ部材７の後壁部７１０にインサート部材７１ａを一体的に成形した状態を横から見た車両バンパ中央付近の断面図（図１のＢ−Ｂ線断面）である。同図（ｂ）は、チャンバ部材７の後壁部７１０にインサート部材７１を一体的に成形した状態を横から見た固縛フック取り付け部５ａ付近のチャンバ部材７の断面図（図１のＣ−Ｃ線断面）である。図５は、固縛フック取り付け部５ａ付近のチャンバ部材７の正面図である。図６は、衝突の際の固縛フック取り付け部５ａ付近のチャンバ部材７を横から見た断面図（図１のＣ−Ｃ線断面）である。
【００２８】
車両用衝突検知装置１は、図１に示すように、車両バンパ２内に配設されたチャンバ部材７と、圧力センサ８と、歩行者保護装置ＥＣＵ１０とを主体として構成されている。
【００２９】
車両バンパ２は、図１、図２に示すように、バンパカバー３、バンパレインフォースメント４、サイドメンバ５、アブソーバ６、及びチャンバ部材７を主体として構成されている。尚、図２では、バンパカバー３、バンパレインフォースメント４、アブソーバ６及びチャンバ部材７をそれぞれ断面（図１のＡ−Ａ線）で示している。
【００３０】
バンパカバー３は、車両前端にて車幅方向（左右方向）に延び、バンパレインフォースメント４、サイドメンバ５、アブソーバ６、及びチャンバ部材７を覆うように車体に取り付けられる樹脂（例えば、ポリプロピレン）製カバー部材である。
【００３１】
バンパレインフォースメント４は、バンパカバー３内に配設されて車幅方向に延びる金属製の構造部材であって、図２に示すように、内部中央に梁が設けられた日の字状断面を有する中空部材である。
【００３２】
サイドメンバ５は、車両の左右両側面近傍に位置して車両前後方向に延びる一対の金属製部材であり、その前端に上述したバンパレインフォースメント４が取り付けられる。
【００３３】
固縛フック取り付け部５ａは、車両前方側から固縛フックを用いてロープ等を介して牽引させるために使用される突起部材であって、バンパレインフォースメント前面４ａまたはサイドメンバ５に配設され、バンパレインフォースメント前面４ａよりも前方へ突出している。
【００３４】
アブソーバ６は、バンパカバー３内でバンパレインフォースメント前面４ａの下方側に取り付けられる車幅方向に延びる発泡樹脂製部材であり、車両バンパ２における衝撃吸収作用を発揮する。
【００３５】
チャンバ部材７は、バンパカバー３内でバンパレインフォースメント前面４ａの上方に対向する構成で配置され、ポリエチレンなどの軟質性樹脂からなる車幅方向に延びる略箱状の中空部材であり、ブロー成形によって製造される。より詳細には、チャンバ部材７は、チャンバ本体７１と、延設部７２とを備えている。
【００３６】
チャンバ本体７１は、チャンバ部材７の大部分を占めており、前壁部７０９と後壁部７１０とによって挟まれた略密閉状のチャンバ空間７ａを内部に形成してなる軟質樹脂製である。なお、チャンバ本体７１の断面の厚さは、後壁部７１０が最も肉厚で形成されている。
【００３７】
ここで、チャンバ部材７の物性について詳しく説明する。図３に示すように、チャンバ潰れピーク荷重とは、チャンバ部材７の潰れ時に発生するピーク荷重（反力の最大値）である。同図のグラフに示されるように、チャンバ潰れピーク荷重と曲げ弾性率との間には比例関係が成立している。ここで、アブソーバ６は、歩行者の脚部に損傷を与えないために、歩行者衝突時に発生する反力が６〜８ｋＮとなるように設定される。一方、チャンバ部材７は、アブソーバ６の衝撃吸収性能を阻害しないために軟らかい物性を有することが必要であり、歩行者衝突時に発生する反力、換言すればチャンバ部材７の許容潰れ荷重は、２ｋＮ以下で構成される。つまり、チャンバ部材７は、軟らかい物性を持つ軟質性樹脂であることがわかる。
【００３８】
なお、車両バンパ中央付近のチャンバ本体７１は、図４（ａ）（図１のＢ−Ｂ線断面）に示すように、バンパレインフォースメント前面４ａに配置され、チャンバ本体７１の上面がバンパレインフォースメント４の上面とほぼ同じ高さで配設されている。
【００３９】
次に、固縛フック取り付け部５ａ付近のチャンバ本体７１は、同図（ｂ）（図１のＣ−Ｃ線断面）に示すように、突起部材である固縛フック取り付け部５ａを避けるように上方へ蛇行した形状で取り付けられ、チャンバ本体７１の上面は、バンパレインフォースメント４上面の位置よりも高く配設されている。固縛フック取り付け部５ａ付近のチャンバ本体７１の後壁部７１０の上側は、バンパレインフォースメント４の前面と対向しない部分がある。詳細には、図５に示すように、固縛フック取り付け部５ａ付近のチャンバ本体７１は、正面から見ると、チャンバ本体７１の下面側に設けられた下側凹部７１２と、下側凹部７１２上方の上面側に設けられたバンパレインフォースメント４の前面と対向しない非対向部分である上側凸部７１３とを有している。
【００４０】
下側凹部７１２は、チャンバ本体７１の下面側に設けられ、チャンバ本体７１の内部に向かって円弧状になだらかな曲線で形成されている。なお、下側凹部７１２から下方は、チャンバ空間７ａを含まない空間である。この空間に、固縛フック取り付け部５ａが配設されている。
【００４１】
上側凸部７１３は、下側凹部７１２上方の上面側に設けられ、チャンバ本体７１から上方に突出して円弧状になだらかな曲線で形成され、上側凸部７１３の内部空間はチャンバ空間７ａと連通している。つまり、チャンバ本体７１は、固縛フック取り付け部５ａを避けるように、チャンバ本体７１の一部を上方へ押し上げたような形状で形成される。
【００４２】
尚、チャンバ本体７１は、下側凹部７１２と上側凸部７１３とを設けることによって、固縛フック取り付け部５ａを避け且つ体積を確保することができる。そのため、圧力センサ８が車両バンパ２のどの位置でもチャンバ部材７が受ける圧力を均等に検出することができる。
【００４３】
また、チャンバ部材７の後壁部７１０には、車幅方向全体に亘って補強部７１１が形成されている。補強部７１１の断面の厚みは、インサート部材７１ａがインサート成形されることで、チャンバ部材７の前壁部７０９や各側面の断面よりも肉厚に形成される。
【００４４】
インサート部材７１ａは、チャンバ部材７の材質である軟質性樹脂よりも硬質性の材質、例えば、鉄等の金属や、ナイロン、ＰＢＴ（ポリブチレンテレフタレート）等の硬質性樹脂から成る。インサート成形は、射出成形法の一つであり、インサート部材７１ａを金型内に設置し、軟質性樹脂を注入することによりチャンバ部材７と一体化される。インサート部材７１ａは、補強部７１１と同様に、チャンバ部材７の後壁部７１０の横幅及び縦幅とほぼ同じで大きさで構成され、補強部７１１にインサート成形される。よって、軟質性樹脂で形成されたチャンバ部材７の後壁部７１０は、補強部７１１が、硬質性樹脂のインサート部材７１ａと一体的に形成されることで、より剛性を増すことになる。そして、補強部の断面の厚みは、インサート部材７１ａがインサート成形されたことにより、チャンバ部材７の前壁部７０９や各側面の断面の厚さ（約１ｍｍ）よりも厚く形成され、例えば約３ｍｍ〜１０mmの厚さで構成されている。
【００４５】
延設部７２は、軟質樹脂によってチャンバ本体７１と一体的に成形され、チャンバ本体７１の車幅方向の略中央部分からバンパレインフォースメント４正面の上方に延び、車体前方側から車体後方側へ延設された部位である。延設部７２の内部空間は、チャンバ本体７１の内部空間と連通しており、チャンバ空間７ａの一部分を形成している。また、延設部７２の上部には、内部空間（すなわち、チャンバ空間７ａ）を外部に連通させる開口部７２ｂが設けられている。
【００４６】
圧力センサ８は、気体圧力を検出可能なセンサ装置であり、圧力センサ８の本体と、圧力導入管８１とで構成され、圧力センサ８の本体には圧力検出用のセンサ素子が設けられている。そして、圧力導入管８１は、延設部７２の開口部７２ｂに挿入され、圧力を検出する。圧力センサ８は、圧力に比例した電圧信号を出力し、信号線１０ａを介して歩行者保護装置ＥＣＵ１０へ信号を送信する。
【００４７】
歩行者保護装置ＥＣＵ１０は、圧力センサ８と接続され、車両本体に配置されている。図示しない歩行者保護装置（たとえば公知の歩行者保護用のエアバッグやフード跳ね上げ装置など）の起動制御を行うための電子制御装置であり、圧力センサ８から出力される信号が信号線１０ａを介して入力されるように構成されている。歩行者保護装置ＥＣＵ１０は、圧力センサ８における圧力検出結果に基づいて、車両バンパ２へ歩行者（すなわち、人体）が衝突したか否かを判別する処理を実行する。
【００４８】
次に、本実施形態の車両用衝突検知装置１による衝突の検知について説明する。本実施例の衝突検知装置が組み付けられた車両バンパ２は、図１に示したように、バンパカバー３がチャンバ部材７とアブソーバ６を被覆し、車両バンパ２の外表面を形成している。
【００４９】
この車両のバンパに歩行者が衝突すると、歩行者が車両バンパ２を押圧することとなり、そしてバンパカバー３を介してチャンバ部材７を押圧し、チャンバ部材７の押圧された部分は変形し潰れる。特にチャンバ部材７の固縛フック取り付け部５ａ付近の作用について説明すれば、図６に示すように、チャンバ部材７は、車両前方側から車両方向側へ押圧される。そして、補強部７１１が設けられた後壁部７１０は、インサート部材７１ａがインサート成形されていることによって、十分な剛性が確保されているため、バンパレインフォースメント前面４ａに対向しない非対向部分においても変形が防止される。
【００５０】
圧力センサ８は、チャンバ部材７の変形によりチャンバ空間７ａにおける気体圧力を圧力導入管８１を経て検出し、圧力センサ８から出力される信号が信号線１０ａを介して歩行者保護装置ＥＣＵ１０に送られて圧力検出結果に基づいて、車両バンパ２へ歩行者（すなわち、人体）が衝突したか否かを判別する処理を実行することになる。
【００５１】
以上詳述したことから明らかなように、本実施形態によれば、車両バンパ内でバンパレインフォースメント４の前面に配設され且つ前壁部７０９と後壁部７１０とによって挟まれたチャンバ空間７ａを内部に形成してなる軟質樹脂製のチャンバ本体７１を有するチャンバ部材７は、後壁部７１０における少なくともバンパレインフォースメント４の前面と対向しない非対向部分に肉厚の補強部７１１が設けられている。よって、車両バンパ２へ衝突が発生した際、チャンバ部材７の後壁部７１０における非対向部分では補強部７１１によって確実に変形が防止されるので、圧力検出性能の低下が抑制される。従って、チャンバ部材７の後方にバンパレインフォースメント４が存在しない部位に衝突が発生した場合でも正確に衝突検知を行うことができる。
【００５２】
また、チャンバ部材７の補強部７１１は、チャンバ本体７１よりも硬質性の材質からなるインサート部材７１ａをインサート成形することにより形成されているので、チャンバ部材７の剛性が増大され、後壁部７１０の非対向部分における衝突による変形を確実に防止することができる。
【００５３】
さらに、チャンバ部材７は、バンパレインフォースメント前面４ａの固縛フック取り付け部５ａを避けるために下面側に設けられた下側凹部７１２と、下側凹部７１２上方の上面側に設けられ且つ少なくとも一部がバンパレインフォースメント４の前面と対向しない非対向部分である上側凸部７１３とを有し、上側凸部７１３に補強部７１１が設けられているので、バンパレインフォースメント前面４ａの突起部である固縛フック取り付け部５ａ付近においてもチャンバ部材７の体積を確保することが可能になり、チャンバ部材７が受ける圧力を均等に検出することができる。また、非対向部分である上側凸部７１３に補強部７１１が設けられているので、当該部分における衝突による変形が防止される。
【００５４】
特に、チャンバ部材７は、後壁部７１０の車幅方向全体に亘って補強部７１１が形成されているので、チャンバ部材７全体が撓みにくくなり、チャンバ部材７を車両に取り付ける際や持ち運び時等における取り扱いが容易となる。
【００５５】
次に、上述した実施形態の変形例について図面を参照しつつ説明する。図７（ａ）は、変形例の車両用衝突検知装置の横から見た車両バンパ中央付近の要部断面図であり、同図（ｂ）は変形例の車両用衝突検知装置の横から見た固縛フック取り付け部５ａ付近の要部断面図である。図８（ａ）は、チャンバ部材７のブロー成形による型締め状態を示す要部断面図であり、同図（ｂ）は、チャンバ部材７の中空半成品として膨張賦形された状態を示す断面図である。なお同図（ａ）、（ｂ）は、図１のＢ−Ｂ線断面図に相当する。図９は、変形例の車両用衝突検知装置の衝突の際のチャンバ部材の断面図である。尚、上述した実施形態と同一の構成には同一の符号を付し、それらについての詳細な説明を省略する（以下の実施形態及び変形例においても同様）。
【００５６】
上記実施形態では、チャンバ部材７の補強部７１１において、インサート部材７１ａをチャンバ部材７の補強部７１１にインサート成形によって、一体化する構成としたが、本変形例では、図７（ａ）、同図（ｂ）に示すように、補強部７１１の断面の厚みをチャンバ本体７１と同一の軟質性樹脂によって肉厚にしたことを特徴とする。尚、チャンバ部材７は、上側凸部７１３と下側凹部７１２とが配設されている点は、上記実施形態と同じである。
【００５７】
チャンバ部材７の補強部７１１は、図８（ａ）に示すように、１組の金型２０、２１とを型合わせし、型締めすることによって形成される。金型２０の内部の側面２０ａは、チャンバ部材７の前壁部７０９が形成され、金型２１の内部の側面２１ａは、チャンバ部材７の後壁部７１０が形成される。金型２０の内部の側面２０ａからパーティングライン（型と型との合わせ面）Ｐまでの距離と、金型２１の内部の側面２１ａからパーティングラインＰまでの距離とは、金型２１の方が短く構成されている。なお、吹き込み口３０は、パーティングラインＰの垂直延長上の位置に配設されている。つまり、ブロー成形におけるパーティングラインＰは、チャンバ部材７の前壁部７０９よりも後壁部７１０寄りに設定されることによって、チャンバ部材７の補強部７１１が形成される。
【００５８】
チャンバ部材７の材料となる溶けた軟質性樹脂は、同図（ｂ）に示すように、吹き込み口３０から空気が送り込まれると、金型２０、２１の内部の型に沿って膨張し形成する。金型２０側の軟質性樹脂は、吹き込み口３０から空気を圧送されて膨張しつつ薄く延び、パーティングラインＰから離れるほど断面が薄くなり、側面２０ａに拡がりつつ、前壁部７０９を形成する。一方、金型２１側の内部に形成された軟質性樹脂は、吹き込み口３０から空気を圧送されると、吹き込み口３０から側面２１ａまでの距離が短いために、長く延びることができずに、肉厚のまま後壁部７１０の補強部７１１を形成する。
【００５９】
つまり、補強部７１１は、パーティングラインＰの位置が異なる１組の金型を用い、ブロー成形におけるパーティングラインＰがチャンバ部材７の前壁部７０９よりも後壁部７１０寄りに設定されることで、同一の軟質性樹脂によって他の壁面よりも厚く形成することができる。尚、補強部７１１の断面の厚さは、パーティングラインＰの位置によって約３ｍｍ〜１０ｍｍの肉厚で構成されるのが好ましい。補強部７１１を同一の軟質性樹脂で構成しても、図９に示すように、衝突の際に、チャンバ部材７の上側凸部７１３の後壁部７１０に配設された補強部７１１は、車両前方側から車両後方側へ押圧されるが、補強部７１１が肉厚で形成されていることによって、剛性が増し、変形が防止される。よって、圧力センサ８は、チャンバ部材７の変形によりチャンバ空間７ａにおける圧力を正確に検出することができる。
【００６０】
以上詳述したことから明らかなように、本変形例によれば、チャンバ部材７の補強部７１１は、チャンバ本体７１と同一の軟質性樹脂によって一体的に形成されているので、他の部材を用いること無く、少ない部品点数で容易且つ安価に製造することができる。
【００６１】
さらに、チャンバ部材７は、ブロー成形によって形成されるものであり、ブロー成形におけるパーティングラインＰが前壁部７０９よりも後壁部７１０寄りに設定されることによって、チャンバ部材７の後壁部７１０が確実に肉厚の補強部７１１として形成される。
【００６２】
本発明は上述した各実施形態に限定されるものではなく、本発明の趣旨を逸脱しない範囲で種々の変更を施すことが可能であることは云うまでもない。例えば、チャンバ本体７１の下側凹部７１２と上側凸部７１３の形状を円弧状としたが、台形等の四角形状でもよい。チャンバ本体７１は、固縛フック取り付け部５ａを避け且つ体積を確保することができるため、圧力センサ８が車両バンパ２のどの位置でもチャンバ部材７が受ける圧力を均等に検出することができる。
【００６３】
また、上述した各実施形態では、チャンバ部材７において後壁部７１０の車幅方向全体に亘って補強部７１１を設けた例を示したが、後壁部７１０における少なくともバンパレインフォースメント４の前面と対向しない非対向部分に肉厚の補強部７１１が設ければ同様の効果が得られる。例えば、バンパレインフォースメント４の前面と対向しない非対向部分である上側凸部７１３、チャンバ本体７１の車幅方向両端部においてバンパレインフォースメント前面４ａから側方へはみ出した部分のみに補強部７１１を設ける構成としてもよい。
【００６４】
この他、図１２に示すように、チャンバ本体７１−１及びアブソーバ６−１を車両左右方向にバンパレインフォースメント４−１の両端から各々突き出す形状としても良い。但し、図１２（ａ）は車両バンパ２の部分を図１と同様に平面視し、その概略右側半分を表した図であり、（ｂ）はその概略右側半分のチャンバ本体７１及びアブソーバ６を車両正面から見た図、（ｃ）は（ａ）に示すＤ−Ｄ線で切断した断面図である。
【００６５】
図１３に示すように、従来の構造ではチャンバ本体７１ａ及びアブソーバ６ａの車両左右方向の長さが、バンパレインフォースメント４ａと概略同じ長さとされていた。これは、チャンバ本体７１ａ及びアブソーバ６ａとの支えとしてバンパレインフォースメント４ａが存在するので、チャンバ本体７１ａが車両左右方向に長いとバンパレインフォースメント４ａもそれに応じて長くする必要があったためである。
【００６６】
しかし、この従来の構造の場合、バンパレインフォースメント４ａをチャンバ本体７１ａと同様に長くする必要があるが、バンパレインフォースメント４ａはそれ自体重量があるのでバンパレインフォースメント４ａが長くなる程に車両の重量が重くなり、また、製作コストも嵩むという欠点があった。また、バンパレインフォースメント４ａが長くなる分、スペースが取られるので、他の部品の設置スペースが狭くなったり、無くなったりする欠点もあった。
【００６７】
そこで本実施形態では、図１２に示したように、チャンバ本体７１−１及びアブソーバ６−１を車両左右方向にバンパレインフォースメント４の両端から各々突き出す形状とした。言い換えれば、バンパレインフォースメント４−１の車両左右方向の長さを短くする構成とした。また、チャンバ本体７１―１のバンパレインフォースメント４への設置面側の後壁部７１０は、この後壁部７１０と対向側の前壁部７０９よりも肉厚が厚く形成されている。
【００６８】
従って、チャンバ本体７１−１の車両左右方向の突き出し部分に人等の物体が衝突した場合でも、この衝突側の前壁部７０９の方が後壁部７１０よりも薄いので前壁部７０９が凹み、この凹みによるチャンバ空間７ａの気体圧力を圧力センサ８（図２参照）で正確に検出することができる。
【００６９】
このように、バンパレインフォースメント４−１の車両左右方向の長さを短くすることができるので、バンパレインフォースメント４−１の重量を軽くすることができ、その分、車両の重量を軽くすることが出来る。また、バンパレインフォースメント４−１の長さが短くて済むので、製作コストも低減することができると共に、他の部品の設置スペースを拡げることが出来る。
【００７０】
また、図１４に示すように、アブソーバ６−２の車両左右方向の長さをバンパレインフォースメント４−１と同じとしても、図１２に示した車両バンパ構成と同様の効果を得ることが出来る。
【００７１】
また、図１５に示すように、チャンバ本体７１−２の車両左右方向への突き出し部分を、バンパレインフォースメント４−１の端面に沿って車両後方に延長した形状としても良い。この場合、その延長部分のバンパレインフォースメント４−１への当接面が、上述の後壁部７１０と同様に厚く、また、延長部分の車両後側の壁部も同様に厚い構成とする。
【００７２】
この構成によって、チャンバ本体７１−２の車両左右方向への突き出し部分への物体の衝突時に、その突き出し部分がバンパレインフォースメント４−１の端面で支えられるので、その突き出し部分の曲がりを抑制することが出来る。
【００７３】
この図１５に示す車両バンパ構成において、図１６に示すように、アブソーバ６−２の車両左右方向の長さをバンパレインフォースメント４−１と同じとしても、図１５に示した車両バンパ構成と同様の効果を得ることが出来る。
【００７４】
なお、図１４に示した車両バンパ構成において、図１７に示すように、チャンバ本体７１−３の車両左右方向への突き出し部分を、車両下方に延長し、この延長部分の下面がアブソーバ６−２の下面と一直線に配置される形状としても良い。この場合、チャンバ本体７１−３の車両左右方向への突き出し部分が他の部分よりも高くなるので、その突き出し部分への物体の衝突時の凹み面積が広くなるので、チャンバ空間７ａの圧力変化を大きくすることができ、その分、圧力センサ８での圧力検知を高感度とすることができる。
【００７５】
この効果は、図１６に示した車両バンパ構成を変形した図１８に示す車両バンパ構成においても同様に得ることができる。図１８に示す車両バンパ構成は、チャンバ本体７１−４の車両左右方向への突き出し部分を、更に車両下方に延長し、この延長部分の下面がアブソーバ６−２の下面と一直線に配置される形状としたものである。
【符号の説明】
【００７６】
１  車両用衝突検知装置
２  車両バンパ
３  バンパカバー
４，４−１  バンパレインフォースメント
４ａ  バンパレインフォースメント前面
５  サイドメンバ
５ａ  固縛フック取り付け部
６，６−１，６−２  アブソーバ
７  チャンバ部材
７１，７１−１〜７１−４  チャンバ本体
７ａ  チャンバ空間
７０９  前壁部
７１０  後壁部
７１１  補強部
７１ａ  インサート部材
７１２  下側凹部
７１３  上側凸部
７２  延設部
７２ｂ  開口部
８  圧力センサ
８１  圧力導入管
１０  歩行者保護装置ＥＣＵ
１０ａ  信号線
２０，２１  金型
２０ａ，２１ａ  側面
Ｐ  パーティングライン
３０  吹き込み口
【図１】
2010163155.tif 000003
【図２】
2010163155.tif 000004
【図３】
2010163155.tif 000005
【図４】
2010163155.tif 000006
【図５】
2010163155.tif 000007
【図６】
2010163155.tif 000008
【図７】
2010163155.tif 000009
【図８】
2010163155.tif 000010
【図９】
2010163155.tif 000011
【図１０】
2010163155.tif 000012
【図１１】
2010163155.tif 000013
【図１２】
2010163155.tif 000014
【図１３】
2010163155.tif 000015
【図１４】
2010163155.tif 000016
【図１５】
2010163155.tif 000017
【図１６】
2010163155.tif 000018
【図１７】
2010163155.tif 000019
【図１８】
2010163155.tif 000020